(57)【要約】【課題】製造コストを削減しつつ、容易にケース本体に遮蔽板を取り付けることができるようにする。【解決手段】挿通片２１ｄに貫通孔２２ａを挿通すると、板金２２の後端部が規制枠２１ｆの上端に引っ掛かる。続いて板金２２を図中左方向にスライドすると、後端部が規制枠２１ｆの上端と摺接した後、挿通片２１ｄの嵌合部２１ｅに貫通孔２２ａの周縁部が嵌合する。これとともに、板金２２が撓みから復帰して、後端部が取付け面２１ｃに落ち込むことにより、板金２２が取付け面２１ｃ全体を覆う。こうなると、板金２２の外周縁が規制枠２１ｆに取り囲まれ、板金２２が取付け面２１ｃと平行に移動することが規制される。【選択図】        図６
2005000322.tif 000002
【特許請求の範囲】
【請求項１】
遊技機の作動を制御する回路基板を収納するケース本体と、このケース本体に前記ケース本体表面を覆うように取り付けられ、前記回路基板にノイズが及ぶことを防ぐ遮蔽板とを備えた遊技機の回路基板収納ケースにおいて、
前記ケース本体表面又は前記遮蔽板のいずれか一方に貫通孔を、他方に前記貫通孔に挿通される挿通部材を設け、
前記挿通部材は、この挿通部材が前記貫通孔に挿通された状態で前記貫通孔の周縁部が嵌合される嵌合部を有しており、
前記挿通部材の前記嵌合部に前記貫通孔の周縁部が嵌合したときに、前記遮蔽板の外周縁を取り囲んで、前記遮蔽板が前記ケース本体表面に平行に移動することを規制する規制部を設けたことを特徴とする遊技機の回路基板収納ケース。
【請求項２】
前記貫通孔及び前記挿通部材をそれぞれ、所定の間隔をおいて複数個設けたことを特徴とする請求項１記載の遊技機の回路基板収納ケース。
【請求項３】
前記規制部に、前記ケース本体に取り付けられた前記遮蔽板の端部の浮き上がりを防止する浮上り防止部材を設けたことを特徴とする請求項１又は２記載の遊技機の回路基板収納ケース。
【請求項４】
前記遮蔽板に、前記貫通孔に前記挿通部材を挿通させたときに前記浮上り防止部材が挿通される切欠きを設けたことを特徴とする請求項３記載の遊技機の回路基板収納ケース。
【請求項５】
前記ケース本体に、このケース本体に取り付けられた前記遮蔽板の外周縁の一部を露呈する切欠きを設けたことを特徴とする請求項１〜４いずれか記載の遊技機の回路基板収納ケース。
【発明の詳細な説明】
【０００１】
【発明の属する技術分野】
本発明は、遊技機に組み込まれる遊技機の回路基板収納ケースに関するものである。
【０００２】
【従来の技術】
以下、本明細書中では、回路基板収納ケースが組み込まれた遊技機としてパチンコ機を例に挙げて説明する。パチンコ機には、乱数のサンプリングに基づく電子抽選等を行う主回路基板の他に、電子抽選の抽選結果などを図柄の組み合わせにより報知する図柄表示装置、遊技状態に応じて作動されるランプ装置や音声発生装置などの各種駆動装置を制御するための回路基板が設けられる。これら各種回路基板は、それぞれ保安用の収納ケースに収納されて不正が行われないようになっている。なお、ケース本体表面には、他の電子装置からの電磁波や遊技媒体であるパチンコ球からの静電気等のノイズが回路基板に及ぶことを防ぐための板金が取り付けられる。
【０００３】
このような構成を有するパチンコ機はパチンコ店等の遊技場に配設され、新しい機種への交換時には、遊技場から取り外した古い機種のパチンコ機は回収された後に分解される。この分解作業時に、リユースできる部品は動作確認や形状チェック等の検査を行った後に、新しい機種の部品として使用されることになる。このため、パチンコ機を製造するメーカーにおいては、パチンコ機を容易に分解できるような構成にするということが検討されている。
【０００４】
【発明が解決しようとする課題】
例えば、上記板金はビス締めによりケース本体に取り付けられるため、部品点数が多くなり、結果的に組立作業や解体作業時のコストアップという問題になる。一方、部品点数を増やさずに板金をケース本体に取り付ける方法として、ケース本体に板金を所定位置に保持するための樹脂爪を設けることが考えられる。この場合、部品点数を増やさずに板金の組み付けを行うことができるという反面、嵌め込みを行う際の樹脂爪からの反力による撓みや、嵌め込み後にパチンコ機の発熱による撓みを防止するために、板金の剛性を高める必要があり、結果的に製造コストを上げる原因となる。
【０００５】
本発明は、上記背景を考慮してなされたものであり、部品点数を低減し、製造時のコストアップを防止しつつ、ケース本体に板金を取り付けることができるようにした遊技機の回路基板収納ケースを提供することを目的とする。
【０００６】
【課題を解決するための手段】
上記目的を達成するために、本発明の遊技機の回路基板収納ケースとしては、遊技機の作動を制御する回路基板を収納するケース本体と、このケース本体に前記ケース本体表面を覆うように取り付けられ、前記回路基板にノイズが及ぶことを防ぐ遮蔽板とを備えたものであり、前記ケース本体表面又は前記遮蔽板のいずれか一方に貫通孔を、他方に前記貫通孔に挿通される挿通部材を設け、前記挿通部材は、この挿通部材が前記貫通孔に挿通された状態で前記貫通孔の周縁部が嵌合される嵌合部を有しており、前記挿通部材の前記嵌合部に前記貫通孔の周縁部が嵌合したときに、前記遮蔽板の外周縁を取り囲んで、前記遮蔽板が前記ケース本体表面に平行に移動することを規制する規制部を設けたものである。
【０００７】
また、前記貫通孔及び前記挿通部材をそれぞれ、所定の間隔をおいて複数個設けることが好ましい。
【０００８】
また、前記規制部に、前記ケース本体に取り付けられた前記遮蔽板の端部の浮き上がりを防止する浮上り防止部材を設けることが好ましい。
【０００９】
また、前記遮蔽板に、前記貫通孔に前記挿通部材を挿通させたときに前記浮上り防止部材が挿通される切欠きを設けてもよい。
【００１０】
また、前記ケース本体に、前記遮蔽板の外周縁の一部を露呈する切欠きを設けることが好ましい。
【００１１】
【発明の実施の形態】
図１に示すように、パチンコ機（遊技機）２の本体枠３の内部には、遊技盤４が配設されており、遊技盤４の前面には前面枠５が開閉自在に設けられている。前面枠５の下方には、打球供給用の供給皿６及びパチンコ球の打ち出し強さを調節する操作ハンドル７が設けられている。遊技盤４の遊技領域４ａの略中央には、予め定められた入賞口へパチンコ球を入賞させるなどの所定入賞条件に基づいて様々な図柄やキャラクタなどを所定時間内変動表示させた後に停止表示させる図柄表示装置８が配置される。その周りには様々な種類の入賞口１０及びアウト口１１が設けられている。遊技者は、供給皿６にパチンコ球を投入してパチンコ球を発射装置へと導き、操作ハンドル７を回動操作して、遊技盤４上にパチンコ球を打ち出す。打ち出されたパチンコ球は遊技領域４ａの上方から流下する途中でいずれかの入賞口１０に入るか、あるいはアウト口１１から回収される。なお、遊技領域４ａに設けられている複数の釘、風車などの構造物は公知であるので説明は省略する。
【００１２】
図２に示すように、パチンコ機２の本体枠３には、遊技を行う際に各種装置を作動させるための主制御を行う主制御回路基板（回路基板）１５の他に、図柄表示装置８や図示しないランプ装置及び音声発生装置等の作動制御を行う各種制御回路基板１６、球発射装置１７、球払出装置１８等が設けられている。これら制御回路基板及び装置は、図示しないケーブル等を介して電気的に接続されている。
【００１３】
主制御回路基板１５は、保安用の収納ケース（回路基板収納ケース）１９に収納されている。この収納ケース１９は、ヒンジ２０によりパチンコ機２の背面に対して開閉自在とされている。収納ケース１９を構成するケース本体２１には、収納ケース１９を閉じ状態で保持する図示しないビスが挿通されるビス挿通穴２１ｂ（図３参照）を備えた保持部材２１ａが設けられており、保持部材２１ａのビス挿通穴２１ｂとパチンコ機２に設けられた図示しないビス取付け用穴とにビスを通して締めることにより、収納ケース１９はパチンコ機２に対して固定される。
【００１４】
図３〜８に示すように、収納ケース１９は、主制御回路基板１５を収納するケース本体２１と、主制御回路基板１５に及ぶ他の電子装置からの電磁波やパチンコ球からの静電気等のノイズを遮蔽する板金（遮蔽板）２２とからなる。
【００１５】
ケース本体２１の後部側（固定時にパチンコ機２の背面と対向する側）には、板金２２が取り付けられる長方形状の取付け面２１ｃが設けられている。この取付け面２１ｃの幅方向の中心ラインＬ１上には、略逆Ｌ字型の挿通片（挿通部材）２１ｄが所定間隔をあけて２個設けられている。これら２個の挿通片２１ｄはそれぞれ中心ラインＬ１の中心点を基準に点対称の位置に配置されている。挿通片２１ｄは、取付け面２１ｃと垂直となる方向に突出した基部と、この基部から取付け面２１ｃと平行となる方向に突出した突出部とからなり、突出部と取付け面２１ｃとの間隔は板金２２の厚みと略同じに設定されている。基部及び突出部と取付け面２１ｃとに囲まれた部分は挿通片２１ｄの嵌合部２１ｅとされている。
【００１６】
取付け面２１ｃの四辺の外側を縁取る部分には、規制枠（規制部）２１ｆが後方に向けて突出して設けられている。この規制枠２１ｆは、取付け面２１ｃに対して垂直な内壁面を有している。規制枠２１ｆのうち取付け面２１ｃの幅方向に沿った片側の部分の内壁面には、取付け面２１ｃに取り付けられた板金２２の端部の浮き上がりを防止する第一浮上り防止片（浮上り防止部材）２１ｇが３個設けられている。また、取付け面２１ｃの長手方向に沿った両側の部分の内壁面には、取付け面２１ｃに取り付けられた板金２２の端部の浮き上がりを防止する第二浮上り防止片（浮上り防止部材）２１ｈがそれぞれ５個づつ設けられている。なお、これら第一浮上り防止片２１ｇ及び第二浮上り防止片２１ｈは、取付け面２１ｃと平行となる方向に突出しており、これら第一浮上り防止片２１ｇ及び第二浮上り防止片２１ｈと取付け面２１ｃとの間隔は、板金２２の厚みと略同じに設定されている。
【００１７】
規制枠２１ｆのうち、取付け面２１ｃの幅方向に沿い、且つ内壁面に第一浮上り防止片２１ｇが設けられていない部分と、この部分から繋がる取付け面２１ｃとの一部には、ケース本体２１に取り付けられた板金２２の外周縁の一部を露呈する切欠き２１ｉが設けられている。
【００１８】
板金２２は直方体形状であり、その両面は取付け面２１ｃと略同形である。板金２２の幅方向の中心ラインＬ２上には、板金２２の厚み方向に貫通し、ケース本体２１の挿通片２１ｄが挿通可能な大きさに形成された貫通孔２２ａが２つ設けられている。なお、これら貫通孔２２ａは、中心ラインＬ２の中心点から第一浮上り防止片２１ｇの突出量よりやや大きい値だけずれた中心ラインＬ２上の点を基準として点対称となるように、且つ挿通片２１ｄが設けられた間隔と同様の間隔となるように設けられている。すなわち、図４に示すように、板金２２を、貫通孔２２ａに挿通片２１ｄが挿通される位置に配した場合、板金２２は取付け面２１ｃに対してずれており、板金２２の先端部（図４において左側の端部）は第一浮上り防止片２１ｇよりも図中右方向にあり、板金２２の後端部（図４において右側の端部）は規制枠２１ｅの上方にある。
【００１９】
板金２２の長手方向に沿った両端部には、切欠き２２ｂがそれぞれ５個づつ設けられている。これら切欠き２２ｂは、第二浮上り防止片２１ｈが挿通可能な大きさに形成されているとともに、各第二浮上り防止片２１ｈ間の間隔と同様の間隔となるように設けられている。なお、図３中Ａ方向に板金２２を移動して、貫通孔２２ａに挿通片２１ｄを挿通させると、切欠き２２ｂに第二浮上り防止片２１ｈが挿通される。
【００２０】
次に、上記のように構成されたパチンコ機２の作用について説明する。板金２２を図３中Ａ方向に移動して、貫通孔２２ａに挿通片２１ｄを、切欠き２２ｂに第二浮上り防止片２１ｈを挿通させると、板金２２が取付け面２１ｃに対してずれているので、板金２２の後端部が規制枠２１ｆの上端に引っ掛かり板金２２が撓む（図５、図６）。続いて板金２２を図５中Ｂ方向にスライドすると、後端部は規制枠２１ｆの上端と摺接した後、先端部が第一浮上り防止片２１ｇが設けられた規制枠２１ｆの内壁面と当接するとともに、摺接した状態から解除される。このとき、図９に示すように、挿通片２１ｄの嵌合部２１ｅに貫通孔２２ａの周縁部が嵌合するとともに、板金２２が撓みから復帰して、後端部が取付け面２１ｃに落ち込むことにより、板金２２が取付け面２１ｃ全体を覆う（図７、図８）。こうなると、板金２２の外周縁が規制枠２１ｆに取り囲まれ、板金２２が取付け面２１ｃと平行に移動することが規制される。これをもって、板金２２が本体ケース２１に取り付けられる。
【００２１】
また、板金２２が本体ケース２１に取り付けられると、図１０に示すように、板金２２の先端部が、第一浮上り防止片２１ｇと取付け面２１ｃとの間に嵌まり込む。更に、図６、７に示すように、板金２２の長手方向に沿った両端部は、第二浮上り防止片２１ｈと取付け面２１ｃとの間にある。これにより、板金２２の先端部と両端部との浮き上がりが防止される。
【００２２】
板金２２をケース本体２１から取り外す場合には、切欠き２１ｉにドライバーなどの治具を差込み、この治具を介して板金２２の後端部を規制枠２１ｆより上方に持ち上げ、板金２２が取付け面２１ｃと平行となる方向へスライドできるようにする。続いて板金２２を図５中Ｂ方向と逆の方向にスライドして、貫通孔２２ａの周縁部が嵌合部２１ｅに嵌合された状態を解除し、図３中Ａ方向と逆の方向に移動することにより、ケース本体２１に取り付けられた板金２２を容易に取り外すことができる。
【００２３】
本実施形態では、主制御回路基板１５を収納する収納ケース１９を例に取り上げたが、図柄表示装置の作動制御を行う図柄表示制御回路基板等の他の制御回路基板を収納する収納ケースに本発明を実施してもよい。
【００２４】
本実施形態では、ケース本体２１の取付け面２１ｃに挿通片（挿通部材）２１ｄを、板金２２に貫通孔２２ａを設けたが、ケース本体の取付け面に貫通孔を、板金に挿通部材を設けてもよい。
【００２５】
本実施形態では、規制枠（規制部）２１ｆが、板金２２の外周縁全体を取り囲むようにしたが、規制部としては、板金２２がケース本体２１の取付け面２１ｃに平行に移動することを規制できればよいので、板金２２の外周縁を部分的に取り囲むものでもよい。
【００２６】
本実施形態では、２個の挿通片（挿通部材）２１ｄを、ケース本体２１の取付け面２１ｃの幅方向の中心ラインＬ１の中心点を基準として点対称となるように設けたが、挿通部材の個数及び挿通部材を複数設ける場合の間隔は適宜としてよい。なお、板金の貫通孔は挿通部材と同数個設ければよい。
【００２７】
本実施形態では、第一浮上り防止片２１ｇ及び第二浮上り防止片２１ｈと取付け面２１ｃとの間隔を板金２２の厚みと略同じとしたが、第一浮上り防止片２１ｇ及び第二浮上り防止片２１ｈと取付け面２１ｃとの間隔を板金２２の厚みより多少広げても、板金２２の端部の浮き上がりを防止できるので問題はない。
【００２８】
【発明の効果】
本発明によれば、本発明の遊技機の回路基板収納ケースは、遊技機の作動を制御する回路基板を収納するケース本体と、このケース本体に前記ケース本体表面を覆うように取り付けられ、前記回路基板にノイズが及ぶことを防ぐ遮蔽板とを備えたものであり、前記ケース本体表面又は前記遮蔽板のいずれか一方に貫通孔を、他方に前記貫通孔に挿通される挿通部材を設け、前記挿通部材は、この挿通部材が前記貫通孔に挿通された状態で前記貫通孔の周縁部が嵌合される嵌合部を有しており、前記挿通部材の前記嵌合部に前記貫通孔の周縁部が嵌合したときに、前記遮蔽板の外周縁を取り囲んで、前記遮蔽板が前記ケース本体表面に平行に移動することを規制する規制部を設けたものであるため、遮蔽板をケース本体に取り付けるための構成として、ビス等の固定部品を用いていないことから部品点数が低減される。また、反力を伴う樹脂爪等を用いていないので、遮蔽板の撓みを防止するために遮蔽板の剛性を高める必要もない。これらにより、製造時のコスト削減となる。更に、遮蔽板の貫通孔に挿通部材を挿通した状態で、ケース本体に対して遮蔽板をスライドさせるだけで、貫通孔の周縁部が挿通部材の嵌合部に嵌合するとともに、遮蔽板が規制部に取り囲まれることにより、簡単に遮蔽板がケース本体に取り付けられることから、遮蔽板をケース本体へ取り付ける作業の効率が下がることもない。
【００２９】
また、前記貫通孔及び前記挿通部材をそれぞれ所定の間隔をおいて複数個設けることにより、複数箇所で貫通孔の周縁部が挿通部材の嵌合部に嵌合するようになり、遮蔽板のケース本体への取り付け強度が高まるので、前記貫通孔及び前記挿通部材をそれぞれ１個づつ設けた場合に比べて、遮蔽板がより安定してケース本体に取り付けられるようになる。
【００３０】
また、前記規制部に、前記ケース本体に取り付けられた前記遮蔽板の端部の浮き上がりを防止する浮上り防止部材を設けることにより、パチンコ機の発熱等により遮蔽板が変形して浮き上がろうとした場合に、浮上り防止部材が遮蔽板の端部の浮き上がりを規制するので、遮蔽板のケース本体からの脱落が防止される。
【００３１】
また、前記ケース本体に、前記ケース本体に取り付けられた前記遮蔽板の外周縁の一部を露呈する切欠きを設けることにより、外部から遮蔽板の外周縁の一部と接触することができる状態で遮蔽板を扱えるようになるので、ケース本体から遮蔽板を取り外す工程のうち、遮蔽板の端部を持ち上げて遮蔽板を規制部からの規制から解除する作業が容易となるので、リサイクルやリユース等でケース本体と遮蔽板とを分離する必要がある場合、作業性がよく余計にコストがかからなくて済む。
【図面の簡単な説明】
【図１】本発明を実施した収納ケースが組み込まれたパチンコ機の正面側の外観を示す斜視図である。
【図２】パチンコ機の背面側の外観を示す斜視図である。
【図３】収納ケースの構成を分解して示す斜視図である。
【図４】収納ケースの構成を分解して示す断面図である。
【図５】板金をスライドさせる前の状態を示す斜視図、及びケース本体の第二浮上り防止片近傍を拡大して示す斜視図である。
【図６】板金をスライドさせる前の状態を示す断面図である。
【図７】収納ケースの構成を示す斜視図、及びケース本体の第二浮上り防止片近傍を拡大して示す斜視図である。
【図８】収納ケースの構成を示す断面図、及びケース本体の切欠き近傍を拡大して示す断面図である。
【図９】板金をスライドする前、及びスライドした後の挿通片近傍の状態を示す断面図である。
【図１０】板金をスライドする前、及びスライドした後の第一浮上り防止片近傍の状態を示す断面図である。
【符号の説明】
２  パチンコ機（遊技機）
１５  主制御回路基板（回路基板）
１９  収納ケース（回路基板収納ケース）
２１  ケース本体
２１ｃ  取付け面
２１ｄ  挿通片（挿通部材）
２１ｅ  嵌合部
２１ｆ  規制枠（規制部）
２１ｇ  第一浮上り防止片（浮上り防止部材）
２１ｈ  第二浮上り防止片（浮上り防止部材）
２１ｉ，２２ｂ  切欠き
２２  板金（遮蔽板）
２２ａ  貫通孔
【図１】
2005000322.tif 000003
【図２】
2005000322.tif 000004
【図３】
2005000322.tif 000005
【図４】
2005000322.tif 000006
【図５】
2005000322.tif 000007
【図６】
2005000322.tif 000008
【図７】
2005000322.tif 000009
【図８】
2005000322.tif 000010
【図９】
2005000322.tif 000011
【図１０】
2005000322.tif 000012